(57)【要約】      （修正有）【課題】掲示物を壁面や掲示板等に固定する際に用いる画鋲について、壁面等に対する画鋲の押し込みを安全かつ安定して行え、また、壁面等からの画鋲の抜き取りを安全にかつ簡単に行えるようにした画鋲押抜器具を提供する。【解決手段】画鋲押抜器具Ｓは、先端開口部１１から画鋲１を挿入し画鋲１を針部２が先端を向く姿勢に配置する画鋲装着室１２と、先端開口部１１の周囲に画鋲１の支持面１３が設けられた筒状の器具本体１０と、器具本体１０の内部を軸方向にスライド可能で、画鋲装着室１２に配置された画鋲１を保持する磁石２１が先端面に取り付けられた主軸部２０と、主軸部２０の後端部に固定され、先端面の磁石２１に保持された画鋲１が器具本体１０の先端開口部１１から外に押し出されるまで主軸部２０を軸方向にスライド操作する押圧操作部３０を備え、器具本体１０の先端開口部１１の支持面１３に、押込み後の画鋲１の本体部３に係止可能なリング状の爪部４０を装着する。【選択図】図２
0003229865.tif 000002
【実用新案登録請求の範囲】
【請求項１】
先端開口部から画鋲が挿入されるとともに当該画鋲を針部が先端を向く姿勢に配置する画鋲装着室と、前記先端開口部の周囲に前記画鋲の針部を対象物に押し込む際の支持面が設けられた筒状の器具本体と、
当該器具本体の内部を軸方向にスライド可能で、前記画鋲装着室に配置された画鋲を磁力により保持する磁石が先端面に取り付けられた主軸部と、
当該主軸部の後端部に固定され、先端面の磁石に保持された画鋲が前記器具本体の先端開口部から外に押し出されるまで主軸部を軸方向にスライド操作する押圧操作部を備えており、
さらに、前記器具本体の先端開口部の支持面に、押込み後の画鋲の本体部に係止可能なリング状の爪部が装着されていることを特徴とする画鋲押抜器具。
【請求項２】
前記押圧操作部と筒状の器具本体との間にバネ部材が介在されていることを特徴とする、請求項１記載の画鋲押抜器具。
【請求項３】
前記押圧操作部が、筒状の器具本体の後部に外装される形で、主軸部の後端部に固定されていることを特徴とする、請求項１または請求項２記載の画鋲押抜器具。
【請求項４】
前記リング状の爪部が、器具本体の先端開口部に、先端の支持面よりも内側に位置しかつ支持面と面一となるように装着されており、当該爪部は、全周に亘り中心方向に凸状に突出するとともに、中心方向に向かうに従い厚みが次第に薄くなるように内面がテーパー加工されているとを特徴とする、請求項１ないし請求項３のいずれか一項に記載の画鋲押抜器具。
【請求項５】
前記押圧操作部の一部に、器具本体を吊り下げる紐部が取り付けられていることを特徴とする、請求項１ないし請求項４のいずれか一項に記載の画鋲押抜器具。
【考案の詳細な説明】
【技術分野】
【０００１】
本考案は、掲示物を壁面や掲示板等に固定する際に用いる画鋲について、壁面等に対する画鋲の押し込みと、壁面等からの画鋲の抜き取りを安全にかつ簡単に行えるようにした画鋲押抜器具に関するものである。
【背景技術】
【０００２】
掲示物、例えばポスター、チラシ、カレンダー等を、壁面や掲示板等に固定する際に画鋲が用いられることが多い。画鋲は、金属製または樹脂製の円板状の本体部と、本体部の中央から突出する金属製の針部から構成されている。本体部が把持しやすいだるま形状になったものもある。
【０００３】
上記画鋲は、壁面等に掲示物を手で押さえる等してから掲示物の上から針部を壁面等に押込み、掲示物を本体部と壁面等の間に密着させ、固定するようになっている。しかしながら、掲示物の上から画鋲を壁面等に押し込むにはかなりの力を要し、多数個の画鋲を用いて、壁面等に大きな掲示物や一度に多数の掲示物を固定するには、労力の負担が非常に大きい。また、掲示した掲示物を撤去するに際しては、壁面等から画鋲を抜き取らなければならないが、壁面等に押し込まれた画鋲を抜き取るのは容易ではない。
【０００４】
上記の負担を軽減するための提案が従来よりなされている。特許文献１の画鋲取付具は、片手で把持可能な本体の頂部に磁石を設け、画鋲の頭部を磁石により保持し、保持された画鋲を壁面等に向けて移動させ、壁面等に固定するようにしている。特許文献２の画鋲押刺器具は、器具本体の上面に多数の画鋲が収容される収容部を備え、器具本体の底壁に単体の画鋲が出る取出口を形成し、取出口から出た画鋲を針部が上向き姿勢の状態で器具本体の前方に押出し、前方に押出された画鋲の針部を器具本体の先端で前向き姿勢に変更して磁石により吸着保持し、壁面等に押し刺すようにしている。
【０００５】
特許文献３の画鋲抜き取り器は、四角形筒状を成して、内部に画鋲の回収スペースを備える持ち手部と、折り曲げ部を境にして、四角形状の抜き取り爪孔を備える抜き取り部からなり、壁面の画鋲を抜き取り爪孔に掛止して引き、画鋲を内部の回収スペースに落下させるようにしている。
【先行技術文献】
【特許文献】
【０００６】
【特許文献１】実用新案登録第３１９６８８１号公報
【特許文献２】特許第６２４４５０７号公報
【特許文献３】特開２０１６−３７０３６号公報
【考案の概要】
【考案が解決しようとする課題】
【０００７】
しかしながら、特許文献１の画鋲取付具および特許文献２の画鋲押刺器具は、磁石で保持した画鋲を壁面等に対し本体部や器具本体で押し付けるに留まり、押込みの安定性に欠ける。特許文献２の画鋲抜き取り器は、画鋲の抜き取りを改善するものであるが、画鋲の押込み時の課題に対応したものではない。
【０００８】
本考案は上記課題に鑑みてなされたもので、掲示物を壁面や掲示板等に固定する際に用いる画鋲について、壁面等に対する画鋲の押し込みを安全かつ安定して行え、また、壁面等からの画鋲の抜き取りを安全にかつ簡単に行えるようにした画鋲押抜器具を提供することを目的とする。
【課題を解決するための手段】
【０００９】
上記課題を解決するために、本考案に係る画鋲押抜器具は、
先端開口部から画鋲が挿入されるとともに当該画鋲を針部が先端を向く姿勢に配置する画鋲装着室と、前記先端開口部の周囲に前記画鋲の針部を対象物に押し込む際の支持面が設けられた筒状の器具本体と、
当該器具本体の内部を軸方向にスライド可能で、前記画鋲装着室に配置された画鋲を磁力により保持する磁石が先端面に取り付けられた主軸部と、
当該主軸部の後端部に固定され、先端面の磁石に保持された画鋲が前記器具本体の先端開口部から外に押し出されるまで主軸部を軸方向にスライド操作する押圧操作部を備えており、
さらに、前記器具本体の先端開口部に、支持面と押込み後の画鋲の本体部に係止可能なリング状の爪部が装着されていることを主要な特徴とする。
【００１０】
本考案に係る画鋲押抜器具は、
前記押圧操作部と筒状の器具本体との間にバネ部材が介在されていることを第２の特徴とする。
【００１１】
本考案に係る画鋲押抜器具は、
前記押圧操作部が、筒状の器具本体の後部に外装される形で、主軸部の後端部に固定されていることを第３の特徴とする。
【００１２】
本考案に係る画鋲押抜器具は、
前記リング状の爪部が、器具本体の先端開口部に、先端の支持面よりも内側に位置しかつ支持面と面一となるように装着されており、当該爪部は、全周に亘り中心方向に凸状に突出するとともに、中心方向に向かうに従い厚みが次第に薄くなるように内面がテーパー加工されていることを第４の特徴とする。
【００１３】
本考案に係る画鋲押抜器具は、
前記押圧操作部の一部に、器具本体を吊り下げる紐部が取り付けられていることを第５の特徴とする。
【考案の効果】
【００１４】
以上説明したように、画鋲を用いて壁面等に掲示物を固定する際に、本考案に係る画鋲押抜器具を使用することにより、器具本体の先端開口部の支持面を壁面等に密着させて器具本体を壁面等に支持させながら、器具本体の後部の押圧操作部の操作により、器具本体の先端開口部に装着配置した画鋲を安定して掲示物の上から壁面等に押し込むことができ、壁面等に掲示物を簡単に固定することができるという効果を奏する。
【００１５】
また、壁面等に掲示した掲示物を壁面等から外す際に、本考案に係る画鋲押抜器具を使用することにより、掲示物の上から壁面等に押し込んだ画鋲を、器具本体の先端開口部のリング状爪部により係止し、壁面等から画鋲を安全にかつ簡単に抜き取ることができるという効果を奏する。
【００１６】
これにより、本考案に係る画鋲押抜器具を使用することにより、これまで多くの労力が必要であった、掲示物の掲示および掲示された掲示物の取り外しの格作業の負担を軽減できるようになった。
【図面の簡単な説明】
【００１７】
【図１】本考案に係る画鋲押抜器具を示す図で、（Ａ）は側面図、（Ｂ）は正面図、
【図２】（Ａ）は図1に示す画鋲押抜器具の縦断面図、（Ｂ）はリング状の爪部の断面を示す要部拡大図、（Ｃ）は画鋲を示す図、
【図３】（Ａ）は図1に示す画鋲押抜器具に画鋲を装着した状態を示す断面図、（Ｂ）は同画鋲押抜器具を壁面に押し当てた状態を示す図、
【図４】（Ａ）は壁面に画鋲を押し込んだ状態を示す図、（Ｂ）は壁面から画鋲押抜器具を離した状態を示す図、
【図５】（Ａ）は壁面に画鋲押抜器具を当接した状態を示す図、（Ｂ）は爪部を壁面と画鋲の間に引掛ける様子を示す図、
【図６】壁面から画鋲をテコの原理で引き抜く様子を示す図である。
【考案を実施するための最良の形態】
【００１８】
本考案を実施するための実施形態について図面を参照して説明する。図１ないし図６は本考案に係る画鋲押抜器具の一実施形態を示すもので、これらの図において、符号Ｓは画鋲押抜器具を示している。
【００１９】
画鋲押抜器具Ｓは、画鋲を用いて掲示物を壁面や掲示板等に固定する際に使用し、また、壁面や掲示板等から掲示物を取り外しする際に使用するもので、図１および図２（Ａ）に示すように、円筒状の器具本体１０と、棒状の主軸部２０と、筒状の押圧操作部３０と、リング状の爪部４０を備えた基本構成とされている。
【００２０】
器具本体１０は、樹脂製からなり、先端開口部１１から画鋲１を挿入し、画鋲１を針部２が先端を向く姿勢に装着配置する画鋲装着室１２と、前記先端開口部１１の周囲に画鋲１の針部２を壁面（対象物）Ａに押し込む際の支持面１３が設けられている。支持面１３は壁面Ａと対向する側に設けられ、その周囲は器具本体１０の中間部よりも径の大きい先端支持部１４となっている。
【００２１】
主軸部２０は、樹脂製からなり、器具本体１０の内部に軸方向にスライド可能に配置されており、画鋲装着室１２に配置された金属製の画鋲１を磁力により保持する磁石２１が先端面に取り付けられている。
【００２２】
押圧操作部３０は、樹脂製からなり、主軸部２０の後端部に固定されており、主軸部２０の先端面の磁石２１に保持された画鋲１が器具本体１０の先端開口部１１から外に押し出される程度まで主軸部２０を軸方向にスライド操作できるようになっている。かかる押圧操作部３０は、器具本体１０の後部に外装される形で、主軸部２０の後端部に固定されている。なお、主軸部２０のスライド量は画鋲１の針部２の全体が器具本体１０の先端開口部１１から押し出される程度でもよい。
【００２３】
押圧操作部３０と器具本体１０との間には、スプリング（バネ部材）３１が介在されており、スプリング３１の弾発力に抗して、押圧操作部３０の操作により、主軸部２０の先端面の磁石２１に保持した画鋲１を壁面Ａに対しゆっくりと確実に押し込むことができ、画鋲１の押込みが完了したら、スプリング３１の弾発力を利用して主軸部２０を元の後退位置に戻すことができる。
【００２４】
リング状の爪部４０は、壁面Ａに押し込まれた画鋲１を抜き取る際に使用する部位で、金属製からなり、器具本体１０の先端開口部１１に、支持面１３の内側に位置して支持面１３と面一となるように、強固に嵌め込まれている。爪部４０は、器具本体１０の先端開口部１１において、図２（Ｂ）に示すように、器具本体１０の先端支持部１４の内周面から全周に亘り中心方向に凸状に突出しており、爪部４０の内面４０ａは、中心方向に向かうに従い支持面１３側の外面との間の厚みが次第に薄くなるようにテーパー加工されている。
【００２５】
これにより、リング状の爪部４０に対し、壁面Ａに押し込まれた画鋲１の円板状の本体部２をどの方向からでも引掛けることができ、釘を抜くようにテコの原理で、画鋲１を抜き取ることができる。なお、押圧操作部３０の後端部に連通孔３２が設けられ、連通孔３２に紐部３３を取り付けて、画鋲押抜器具Ｓを壁面に取り付けたフック等に吊り下げることができる。
【００２６】
上記構成の画鋲押抜器具Ｓは、画鋲１の大きさに合わせて、全長約１０〜１３ｃｍ程度、外径約２ｃｍ程度の大きさに設計できるので、場所を取らず、他の文房具や筆記具等と一緒に収納ケースやペンスタンド等に保管することができ、また、前記したように、紐部３３を利用して掲示板等の下に吊り下げて使用することができる。
【００２７】
次に、上記構成の画鋲押抜器具Ｓの使用方法について、図３以降を参照しつつ、以下に説明する。
【００２８】
最初に、図３（Ａ）に示すように、器具本体１０の先端開口部１１から画鋲装着室１２に画鋲１を挿入して装着配置する。器具本体１０の先端開口部１１を上向きにして画鋲１の本体部３を下にしてそのまま落とせば、画鋲１の本体部３が奥の磁石２１に密着して保持される。
【００２９】
次に、図３（Ｂ）に示すように、壁面Ａに対し掲示物Ｂを片方の手で押さえ、掲示物Ｂの上から、もう片方の手で器具本体１０を直角に押し当てる。そして、器具本体１０の先端の支持面１３を全面に亘り壁面Ａに押し付けた状態で、図４（Ａ）に示すように、後方の押圧操作部３０を壁面Ａに向けて押し込み、主軸部２０の先端面の磁石２１に保持された画鋲１の針部２を掲示物Ｂの上から壁面Ａに押し込む。
【００３０】
このとき、器具本体１０は、先端支持部１４の先端の支持面１３およびその内側のリング状の爪部４０により壁面Ａに対し安定して支持された状態にあり、内蔵されたスプリング３１によって、ゆっくりと安定的に確実に画鋲１を壁面Ａに押し込むことができる。
【００３１】
次に、画鋲１を壁面Ａに十分押し込むことができたら、図４（Ｂ）に示すように、器具本体１０を壁面Ａおよび掲示物Ｂから離す。掲示物Ｂは画鋲１により壁面Ａに密着状態に固定され、器具本体１０はスプリング３１によって主軸部２０が元の後退位置に戻る。
【００３２】
次に、器具本体１０の先端開口部１１から画鋲装着室１２に次の画鋲１を装着配置し、次の固定箇所に移動して、掲示物Ｂの上から再び器具本体１０を壁面Ａに直角に押し当て、後方の押圧操作部３０を壁面Ａに向けて押し込み、主軸部２０の先端面の磁石２１に保持された画鋲１の針部２を掲示物Ｂの上から壁面Ａに押し込む。
【００３３】
以上の作業を繰り返すことにより、掲示物Ｂの上から壁面Ａに対し必要な数の画鋲１を押し込み、掲示物の固定作業を少ない労力で確実に行うことができる。
【００３４】
次に、壁面Ａに固定した掲示物Ｂを壁面Ａから外すには、本画鋲押抜器具Ｓを把持して、図５（Ａ）に示すように、壁面Ａに押し込まれた画鋲１に、直角姿勢の主軸部２０の先端支持部１４を被せ、図５（Ｂ）に示すように、先端のリング状の爪部４０を、画鋲１の本体部３と掲示物Ｂの間に差し入れて画鋲１の本体部３に引掛ける。
【００３５】
リング状の爪部４０は円環状で、図３（Ｂ）に示すように、内面４０ａがテーパー加工されているから、３６０度どの方向からでも画鋲１の本体部３に容易に引掛けることができる。
【００３６】
リング状の爪部４０を画鋲１の本体部３に引掛けたら、図６に示すように、釘を抜くようにしてテコの原理で、爪部４０の引掛かり部分と１８０度反対側の部分を支点にして、器具本体１０を把持した方の手で回動させると、壁面Ａから画鋲１が容易に抜き取れる。抜き取った画鋲１は、そのまま画鋲装着室１２内で奥の磁石２１によって保持されるので、不用意に床等に落とすことがない。
【００３７】
抜き取った画鋲１は、近くに用意した画鋲収納箱などに保管し、本画鋲押抜器具Ｓを用いて、次の画鋲１の抜き取り作業に取り掛かる。以上の作業を繰り返すことにより、掲示物Ｂの上から壁面Ａに押し込まれた画鋲１をすべて安全にかつ確実に抜き取り、掲示物の撤去作業を少ない労力で安全確実に行うことができる。
【００３８】
本実施形態の画鋲押抜器具Ｓによると、以下の効果を奏する。
【００３９】
（１）器具本体１０の先端開口部１１から画鋲装着室１２に画鋲１を装着配置し、その状態を保持したまま、壁面Ａに対し掲示物Ｂの上から器具本体１０を直角に押し当て、押圧操作部３０を壁面Ａに向けて押し込むことで、先端の画鋲１を掲示物Ｂの上から壁面Ａに確実に押し込むことができる。
【００４０】
（２）押し込み操作後は、スプリング３１により主軸部２０が元の後退位置に戻るので、次の画鋲１の装着と押し込み操作に直ちに取り掛かることができ、掲示物の固定作業を効率よく行うことができる。
【００４１】
（３）壁面Ａから掲示物Ｂを外す際は、先端のリング状の爪部４０を画鋲１の本体部３に引掛け、テコの原理で壁面Ａから画鋲１を容易に抜き取ることができ、掲示物Ｂの撤去作業を効率よく行うことができる。
【００４２】
（４）画鋲押抜器具Ｓは、大きさをコンパクトにできるので、場所を取らず、他の文房具や筆記具等と一緒に収納ケースやペンスタンド等に保管することができ、また、紐部３３を利用して掲示板等の下に吊り下げて使用することもできる。
【００４３】
本考案の画鋲押抜器具は、画鋲を用いて、ポスター、チラシ、カレンダー等の掲示物を、壁面、掲示板、掲示ボード等に固定する際に、画鋲の押し込みを安全に確実に行うことができ、また、同掲示物を、壁面等から外す際に、画鋲の抜き取りを安全に確実に行うことができる。
【００４４】
かくして、本考案に係る画鋲押抜器具によれば、画鋲の押し込み効果および抜き取り効果が高く、使い勝手に優れた画鋲押抜器具を、安価な費用で提供することができるようになった。
【産業上の利用可能性】
【００４５】
本考案に係る画鋲押抜器具は、壁面等に対し掲示物を固定する際や掲示物を外す際に、画鋲を壁面等に押し込む器具として、また、壁面等から画鋲を抜き取る器具として、利用できる。
【符号の説明】
【００４６】
１  画鋲
２  針部
３  本体部
１０  器具本体
１１  先端開口部
１２  画鋲装着室
１３  支持面
１４  先端支持部
２０  主軸部
２１  磁石
３０  押圧操作部
３１  スプリング（バネ部材）
３２  連通孔
３３  紐部
４０  爪部
４０ａ  内面
Ａ  壁面（対象物）
Ｂ  掲示物
Ｓ  画鋲押抜器具
【図１】
0003229865.tif 000003
【図２】
0003229865.tif 000004
【図３】
0003229865.tif 000005
【図４】
0003229865.tif 000006
【図５】
0003229865.tif 000007
【図６】
0003229865.tif 000008